(57)【要約】【課題】テレビ放送の予約視聴と他の動作モードとの衝突を回避し、かつ簡便な操作性で実現するテレビ付き携帯端末装置を提供する。【解決手段】本発明のテレビ付き携帯端末装置は、視聴予約としてテレビ再生を開始すべき開始時刻を保持する予約記憶部１１１と、前記開始時刻にテレビ再生を開始させるように制御し、前記携帯端末装置における現在の動作モードを判定する制御部１２２とを備え、制御部１２２は、さらに、判定された動作モードと視聴予約によるテレビ再生とを制御する。【選択図】図１
2006020287.tif 000002
【特許請求の範囲】
【請求項１】
テレビ放送信号を再生する携帯端末装置であって、
視聴予約としてテレビ再生を開始すべき開始時刻を保持する保持手段と、
前記開始時刻にテレビ再生を開始させるように制御する制御手段と、
前記携帯端末装置における現在の動作モードを判定する判定手段と
を備え、
前記制御手段は、さらに、判定された動作モードと視聴予約によるテレビ再生とを制御する
ことを特徴とする携帯端末装置。
【請求項２】
前記制御手段は、さらに、前記開始時刻よりも所定時間前にテレビ再生を開始する旨をユーザに通知する
ことを特徴とする請求項１記載の携帯端末装置。
【請求項３】
前記通知は、バイブレーション、音、発光、表示パネルへの表示の何れかによることを特徴とする請求項２記載の携帯端末装置。
【請求項４】
前記制御手段は、前記通知として、テレビ再生を開始する旨、番組名、チャネル番号、チャネル名の少なくとも１つを表示パネルに表示させる
ことを特徴とする請求項２記載の携帯端末装置。
【請求項５】
前記携帯端末装置は、さらに、携帯端末装置本体のメモリおよび着脱可能な記録媒体の何れかにテレビ放送を録画する録画手段を備え、
前記制御手段は、通知に対してユーザから所定の操作を受けたとき、テレビ放送を録画手段に録画させる
ことを特徴とする請求項２記載の携帯端末装置。
【請求項６】
前記制御手段は、ユーザ設定された前記所定時間を保持する
ことを特徴とする請求項２記載の携帯端末装置。
【請求項７】
前記制御手段は、前記動作モードが少なくとも電源オフモードである場合に、前記開始時刻よりも所定時間前に携帯端末装置の電源をオンにする
ことを特徴とする請求項２記載の携帯端末装置。
【請求項８】
前記制御手段は、前記動作モードがメール作成モードである場合に、前記開始時刻において作成中のメールを一時的に保存する
ことを特徴とする請求項１記載の携帯端末装置。
【請求項９】
前記制御手段は、前記動作モードがメール作成モードである場合に、前記開始時刻において、作成中のメールとテレビ再生との両方を（ａ）１つの表示領域を２つに分割した２つの分割領域に、または（ｂ）２つの独立した表示パネルに表示させる
ことを特徴とする請求項１記載の携帯端末装置。
【請求項１０】
前記携帯端末装置は、さらに、携帯端末装置本体のメモリおよび着脱可能な記録媒体の何れかにテレビ放送を録画する録画手段を備え、
前記制御手段は、前記動作モードがメール作成モードである場合に、前記開始時刻において、前記テレビ再生の代わりに録画手段に録画させる
ことを特徴とする請求項１記載の携帯端末装置。
【請求項１１】
前記制御手段は、さらに、前記メール作成モードの終了後に録画手段により録画している旨をユーザに通知する
ことを特徴とする請求項１０記載の携帯端末装置。
【請求項１２】
前記制御手段は、さらに、前記メール作成モードの終了後に録画手段に録画済のテレビ放送を再生すべきかどうかをユーザに問い合わせる
ことを特徴とする請求項１０記載の携帯端末装置。
【請求項１３】
前記制御手段は、前記動作モードがメール作成モードである場合に、前記開始時刻において、メール作成モードを続行するとともにテレビ表示なしでテレビ音声を再生するよう制御する
ことを特徴とする請求項１記載の携帯端末装置。
【請求項１４】
前記携帯端末装置は、さらに、携帯端末装置本体のメモリおよび着脱可能な記録媒体の何れかにテレビ放送を録画する録画手段を備え、
前記制御手段は、前記開始時刻における前記動作モードがメール作成モードである場合に、（ａ）前記開始時刻において作成中のメールを一時的に保存する、（ｂ）作成中のメールとテレビ再生による映像の両方を表示させること、（ｃ）前記テレビ再生の代わりに録画手段に録画させること、（ｄ）メール作成モードを続行するとともにテレビ表示なしでテレビ音声を再生することの何れかをユーザ選択に従って制御する
ことを特徴とする請求項１記載の携帯端末装置。
【請求項１５】
前記制御手段は、前記開始時刻において前記（ａ）〜（ｄ）の選択をユーザに問い合わせる
ことを特徴とする請求項１４記載の携帯端末装置。
【請求項１６】
前記携帯端末装置は、さらに、
携帯端末装置本体のメモリおよび着脱可能な記録媒体の何れかにテレビ放送番組を録画する録画手段と、
前記録画手段による録画済みデータを再生するデータ再生手段とを備え、
前記制御手段は、前記動作モードがデータ再生手段による再生モードである場合に、データ再生手段を停止し、テレビ再生を開始させる
ことを特徴とする請求項１記載の携帯端末装置。
【請求項１７】
前記携帯端末装置は、さらに、
携帯端末装置本体のメモリおよび着脱可能な記録媒体の何れかにテレビ放送番組を録画する録画手段と、
前記録画手段の録画済みデータを再生するデータ再生手段とを備え、
前記制御手段は、前記動作モードがデータ再生手段による再生モードである場合に、テレビ再生による映像とデータ再生手段による映像の両方を、（ａ）１つの表示領域を２つに分割した２つの分割領域、（ｂ）２つの独立した表示パネルの何れかに表示させる
ことを特徴とする請求項１記載の携帯端末装置。
【請求項１８】
前記携帯端末装置は、さらに、
携帯端末装置本体のメモリおよび着脱可能な記録媒体の何れかにテレビ放送番組を録画する録画手段と、
前記録画手段の録画済みデータを再生するデータ再生手段とを備え、
前記制御手段は、前記動作モードがデータ再生手段による再生モードである場合にデータ再生手段によるデータ再生を続行させ、テレビ再生の代わりに前記録画手段に録画させる
ことを特徴とする請求項１記載の携帯端末装置。
【請求項１９】
前記制御手段は、さらに、データ再生手段による再生終了時にテレビ放送が前記録画手段によって録画されている旨をユーザに通知する
ことを特徴とする請求項１７記載の携帯端末装置。
【請求項２０】
前記制御手段は、さらに、データ再生手段による再生終了時にテレビ放送が前記録画手段によって録画されている旨をユーザに通知する
ことを特徴とする請求項１８記載の携帯端末装置。
【請求項２１】
前記携帯端末装置は、さらに、
携帯端末装置本体のメモリおよび着脱可能な記録媒体の何れかにテレビ放送番組を録画する録画手段と、
前記録画手段の録画済みデータを再生するデータ再生手段とを備え、
前記制御手段は、前記動作モードがデータ再生手段による再生モードである場合に、（ａ）データ再生手段を停止し、テレビ再生を開始させる、（ｂ）テレビ再生による映像と、データ再生手段による映像の両方を表示させる、および（ｃ）データ再生手段による再生を続行させかつテレビ再生の代わりに前記録画手段に録画させるの何れを選択するかをユーザに問い合わせる
ことを特徴とする請求項１記載の携帯端末装置。
【請求項２２】
前記携帯端末装置は、さらに、携帯端末装置本体のメモリおよび着脱可能な記録媒体の何れかにテレビ放送番組を録画する録画手段を備え、
前記制御手段は、前記動作モードが通話モードである場合に、前記開始時刻において、通話モードを続行させたまま、テレビ再生の代わりに録画手段に録画させ、
前記通話モードは、音声通話、テレビ電話、データ通信の何れかを含む
ことを特徴とする請求項１記載の携帯端末装置。
【請求項２３】
前記制御手段は、さらに、前記通話モードの終了後に録画手段により録画している旨をユーザに通知する
ことを特徴とする請求項２２記載の携帯端末装置。
【請求項２４】
前記制御手段は、さらに、前記通話モードの終了後に録画手段に録画済のテレビ放送を再生すべきかどうかをユーザに問い合わせる
ことを特徴とする請求項２２記載の携帯端末装置。
【請求項２５】
前記携帯端末装置は、さらに、携帯端末装置本体のメモリおよび着脱可能な記録媒体の何れかにテレビ放送を録画する録画手段を備え、
前記制御手段は、前記動作モードが携帯端末装置の表示画面が隠れたインビジブルモードモードである場合に、前記開始時刻において、テレビ再生の代わりに録画手段に録画させる
ことを特徴とする請求項１記載の携帯端末装置。
【請求項２６】
前記インビジブルモードは、携帯端末装置本体が折り畳まれた状態を示す
ことを特徴とする請求項２５記載の携帯端末装置。
【請求項２７】
前記制御手段は、さらに、インビジブルモードで録画手段がテレビ放送を録画している場合に、その旨を折り畳み状態で視認可能なディスプレイに表示させる
ことを特徴とする請求項２５記載の携帯端末装置。
【請求項２８】
前記制御手段は、さらに、前記インビジブルモードで録画手段が録画を終了した場合に、その旨をユーザに通知する
ことを特徴とする請求項２５記載の携帯端末装置。
【請求項２９】
前記通知は、バイブレーション、音、発光、表示の何れかによることを特徴とする請求項２８記載の携帯端末装置。
【請求項３０】
前記制御手段は、さらに、前記インビジブルモードで録画手段が録画していて、かつ、前記インビジブルモードが解消されたとき、録画手段がテレビ放送を録画している旨をユーザに通知する
ことを特徴とする請求項２５記載の携帯端末装置。
【請求項３１】
前記制御手段は、さらに、前記インビジブルモードで録画手段がテレビ放送を録画していて、かつ、前記インビジブルモードが解消されたとき、録画手段によって録画されたテレビ放送を再生すべきかどうかをユーザに問い合わせる
ことを特徴とする請求項２５記載の携帯端末装置。
【請求項３２】
前記制御手段は、さらに、録画手段がテレビ放送を録画していて、かつユーザが電源オフ操作をしたとき、ユーザに警告する
ことを特徴とする請求項１１、１８、２２または２５記載の携帯端末装置。
【請求項３３】
前記制御手段は、予め定められた停止条件が満たされたとき、前記録画手段による録画を終了させる
ことを特徴とする請求項１１、１８、２２または２５記載の携帯端末装置。
【請求項３４】
前記携帯端末装置は、さらに、放送される電子番組ガイド情報に基づいて録画手段によって録画中の番組の終了時刻を検出する検出手段を備え、
前記停止条件は、前記検出手段によって検出された終了時刻である
ことを特徴とする請求項３３記載の携帯端末装置。
【請求項３５】
前記停止条件は、録画終了を指示するユーザ操作である
ことを特徴とする請求項３４記載の携帯端末装置。
【請求項３６】
テレビ放送信号を再生する携帯端末装置における制御方法であって、
ユーザ操作に従って、視聴予約としてテレビ再生を開始すべき開始時刻を受け付ける受け付けステップと、
前記携帯端末装置における現在の動作モードを判定する判定ステップと
前記開始時刻にテレビ再生を開始させる制御を行う制御ステップと
を有し、
前記制御ステップにおいて、前記開始時刻に、判定された動作モードと視聴予約によるテレビ再生とを制御する
ことを特徴とする制御方法。
【請求項３７】
テレビ放送信号を再生する携帯端末装置に備えられるコンピュータに実行されるプログラムであって、
前記プログラムは、
ユーザ操作に従って、視聴予約としてテレビ再生を開始すべき開始時刻を受け付ける受け付けステップと、
前記携帯端末装置における現在の動作モードを判定する判定ステップと
前記開始時刻にテレビ再生を開始させる制御を行う制御ステップと
をコンピュータに実行させ、
前記制御ステップにおいて、前記開始時刻に、判定された動作モードと視聴予約によるテレビ再生とを制御する
ことを特徴とするプログラム。
【請求項３８】
テレビ放送信号を再生する携帯端末装置を制御するため集積回路装置であって、
視聴予約としてテレビ再生を開始すべき開始時刻を保持する保持手段と、
前記開始時刻にテレビ再生を開始させる制御を行う制御手段と、
前記携帯端末装置における現在の動作モードを判定する判定手段と
を備え、
前記制御手段はさらに、判定された動作モードと視聴予約によるテレビ再生とを制御する
ことを特徴とする集積回路装置。
【発明の詳細な説明】
【技術分野】
【０００１】
本発明はテレビ放送を再生する携帯端末装置に関し、特にテレビ放送の番組を予約再生する携帯端末装置、その制御方法、プログラムおよび集積回路装置に関する。
【背景技術】
【０００２】
近年、例えば携帯電話機や携帯情報端末等の携帯端末装置では、装置の小型化や多機能化が進み、テレビ放送を受信して表示することができる機種が登場してきている。さらにテレビ放送の視聴と同時に録画を行うことができる携帯型の視聴装置も登場してきている。
【０００３】
このような携帯型の視聴装置では、地上波ディジタル放送を受信しつつメモリカードへの録画を行う。この状態で視聴していたユーザが何らかの用事で視聴を止めることとなった場合に、視聴装置はどこまで視聴したかを示すマーク情報をメモリカードに記録するようにしている（例えば、特許文献１）。この携帯型視聴装置では、後でメモリカードから番組再生を行うときには、マーク情報に基づいて未視聴箇所から番組を再生するようにしている。これにより、使い勝手の向上を図っている。
【特許文献１】特開２００３−１０１９２１号公報
【発明の開示】
【発明が解決しようとする課題】
【０００４】
しかしながら、上記のような携帯型視聴装置ではテレビ視聴中断前後での番組の連続性を向上させたに過ぎない。今日のテレビ付き携帯電話機では、電話による音声通話、テレビ電話、データ通信の他に、メール作成、アプリケーション実行、電話帳機能など種々の動作モードが既に存在し、これらの動作モードとテレビ表示やテレビの予約視聴との衝突を、かつ簡便な操作性で回避することが望まれている。
【０００５】
本発明は、テレビ放送の予約視聴と他の動作モードとの衝突を回避し、かつ簡便な操作性で実現するテレビ付き携帯端末装置、その制御方法、プログラムおよび集積回路装置を提供することを目的とする。
【課題を解決するための手段】
【０００６】
上記課題を解決するため本発明の携帯端末装置は、テレビ放送信号を再生する携帯端末装置であって、視聴予約としてテレビ再生を開始すべき開始時刻を保持する保持手段と、
前記開始時刻にテレビ再生を開始させるように制御する制御手段と、前記携帯端末装置における現在の動作モードを判定する判定手段とを備え、前記制御手段はさらに、判定された動作モードと視聴予約によるテレビ再生とを制御するように構成されている。
【０００７】
この構成によれば、携帯端末装置が視聴予約の開始時刻に他の動作モードを実行している場合に、他の動作モードとテレビ再生との両者について、並存させる、一方を一時的に停止する、一方を代替動作させるなどの制御を動作モードの種類に応じて行うことができる。これにより、テレビ放送の予約視聴と他の動作モードとの衝突を回避し、かつ簡便な操作性で実現することができる。
【０００８】
ここで、前記制御手段は、前記動作モードが少なくとも待機モードである場合に、前記開始時刻よりも所定時間前にテレビ再生を開始する旨をユーザに通知する。
【０００９】
ここで、前記通知は、バイブレーション、音、発光、の表示の何れかによってもよい。
ここで、前記制御手段は、前記通知として、テレビ再生を開始する旨、番組名、チャネル番号、チャネル名の少なくとも１つを表示パネルに表示させるようにしてもよい。
【００１０】
この構成によれば、制御手段がさらに事前に予約による再生開始を予告するので、事前に他の動作モード実行中であれば、ユーザ自身の操作によってそれを終了させることを可能にする。
【００１１】
ここで、前記制御手段は、さらに、通知に対してユーザから所定の操作を受けたとき、テレビ放送を録画手段に録画させるようにしてもよい。
【００１２】
この構成によれば、事前に他の動作モード実行中であれば、ユーザ自身の操作によってテレビ再生の代わりにテレビ録画を選択し、実行中の動作モードを続行させることを可能にする。
【００１３】
ここで、前記制御手段は、ユーザ設定された前記所定時間を保持するようにしてもよい。
【００１４】
この構成によれば、予約によるテレビ再生の開始時刻から例えば３分前、６０秒前、３０秒前など、ユーザに適した所定時間前に予告することができる。
【００１５】
ここで、前記制御手段は、前記動作モードが少なくとも電源オフモードである場合に、前記開始時刻よりも所定時間前に携帯端末装置の電源をオンにするようにしてもよい。
【００１６】
この構成によれば、開始時刻に電源オフであっても予約によるテレビ再生を開始することができる。
【００１７】
ここで、前記制御手段は、前記動作モードがメール作成モードである場合に、前記開始時刻において作成中のメールを一時的に保存するようにしてもよい。
【００１８】
ここで、前記制御手段は、前記動作モードがメール作成モードである場合に、前記開始時刻において、作成中のメールとテレビ再生との両方を（ａ）１つの表示領域を２つに分割した２つの分割領域に、または（ｂ）２つの独立した表示パネルに表示させるようにしてもよい。
【００１９】
ここで、前記制御手段は、さらに、前記動作モードがメール作成モードである場合に、前記開始時刻において、前記テレビ再生の代わりに録画手段に録画させるようにしてもよい。
【００２０】
ここで、前記制御手段は、さらに、前記メール作成モードの終了後に録画手段により録画している旨をユーザに通知するようにしてもよい。
【００２１】
ここで、前記制御手段は、さらに、前記メール作成モードの終了後に録画手段に録画済のテレビ放送を再生すべきかどうかをユーザに問い合わせるようにしてもよい。
【００２２】
ここで、前記制御手段は、さらに、前記開始時刻における前記動作モードがメール作成モードである場合に、（ａ）前記開始時刻において作成中のメールを一時的に保存する、（ｂ）作成中のメールとテレビ再生による映像の両方を表示させること、（ｃ）前記テレビ再生の代わりに録画手段に録画させることの何れかをユーザ選択に従って制御するようにしてもよい。
【００２３】
ここで、前記制御手段は、前記開始時刻において前記（ａ）〜（ｃ）の選択をユーザに問い合わせるようにしてもよい。
【００２４】
この構成によれば、開始時刻における前記動作モードがメール作成モードである場合に、両者を並存させ、メール作成モードを停止させ、または、テレビ再生をテレビ録画に代替させることを、ユーザ操作の有無に関わらず実現することができる。また、上記（ａ）〜（ｃ）のユーザ選択を事前にあるいはデフォルトを定めておけば、開始時刻においてユーザ操作なしで実現できる。また、開始時刻において上記のユーザ選択を問い合わせれば、例えばメニュー選択という簡単なユーザ操作によって、状況に応じて適切な制御をすることができる。
【００２５】
ここで、前記携帯端末装置は、さらに前記録画手段による録画済みデータを再生するデータ再生手段を備え、前記制御手段は、前記動作モードがデータ再生手段による再生モードである場合に、データ再生手段を停止し、テレビ再生を開始させるようにしてもよい。
【００２６】
ここで、前記制御手段は、さらに、前記動作モードがデータ再生手段による再生モードである場合に、テレビ再生による映像とデータ再生手段による映像の両方を、（ａ）１つの表示領域を２つに分割した２つの分割領域、（ｂ）２つの独立した表示パネルの何れかに表示させるようにしてもよい。
【００２７】
ここで、前記制御手段は、さらに、前記動作モードがデータ再生手段による再生モードである場合にデータ再生手段によるデータ再生を続行させ、テレビ再生の代わりに前記録画手段に録画させるようにしてもよい。
【００２８】
ここで、前記制御手段は、さらに、データ再生手段による再生終了時にテレビ放送が前記録画手段によって録画されている旨をユーザに通知するようにしてもよい。
【００２９】
ここで、前記制御手段は、さらに、データ再生手段による再生終了時にテレビ放送が前記録画手段によって録画されている旨をユーザに通知するようにしてもよい。
【００３０】
ここで、前記制御手段は、前記動作モードがデータ再生手段による再生モードである場合に、（ａ）データ再生手段を停止し、テレビ再生を開始させる、（ｂ）テレビ再生による映像と、データ再生手段による映像の両方を表示させる、および（ｃ）データ再生手段による再生を続行させかつテレビ再生の代わりに前記録画手段に録画させるの何れを選択するかをユーザに問い合わせるようにしてもよい。
【００３１】
この構成によれば、開始時刻における前記動作モードがデータ再生モードである場合に、テレビ再生とデータ再生の両者を並存させ、データ再生モードを停止させ、テレビ再生をキャンセルし、または、テレビ再生をテレビ録画に代替させることを、ユーザ操作の有無に関わらず実現することができる。また、上記（ａ）〜（ｃ）のユーザ選択を事前にあるいはデフォルトを定めておけば、開始時刻においてユーザ操作なしで実現できる。また、開始時刻において上記のユーザ選択を問い合わせれば、例えばメニュー選択という簡単なユーザ操作によって、状況に応じて適切な制御をすることができる。
【００３２】
ここで、前記制御手段は、前記動作モードが通話モードである場合に、前記開始時刻において、通話モードを続行させたまま、テレビ再生の代わりに録画手段に録画させ、前記通話モードは、音声通話、テレビ電話、データ通信の何れかを含む構成としてもよい。
【００３３】
ここで、前記制御手段は、さらに、前記通話モードの終了後に録画手段により録画している旨をユーザに通知するようにしてもよい。
【００３４】
ここで、前記制御手段は、さらに、前記通話モードの終了後に録画手段に録画済のテレビ放送を再生すべきかどうかをユーザに問い合わせるようにしてもよい。
【００３５】
この構成によれば、開始時刻における前記動作モードが通話モードである場合に、テレビ再生と通話モードの両者を並存させ、通話モードを続行し、テレビ再生をキャンセルし、または、テレビ再生をテレビ録画に代替させることを、ユーザ操作の有無に関わらず実現することができる。また、上記（ａ）〜（ｃ）のユーザ選択を事前にあるいはデフォルトを定めておけば、開始時刻においてユーザ操作なしで実現できる。また、開始時刻において上記のユーザ選択を問い合わせれば、例えばメニュー選択という簡単なユーザ操作によって、状況に応じて適切な制御をすることができる。
【００３６】
ここで、前記制御手段は、前記動作モードが携帯端末装置の折り畳まれた状態を示す折り畳みモードである場合に、前記開始時刻において、テレビ再生の代わりに録画手段に録画させるようにしてもよい。
【００３７】
ここで、前記制御手段は、さらに、折り畳みモードで録画手段がテレビ放送を録画している場合に、その旨を折り畳み状態で視認可能なディスプレイに表示させるようにしてもよい。
【００３８】
ここで、前記制御手段は、さらに、前記折り畳みモードで録画手段が録画を終了した場合に、その旨をユーザに通知するようにしてもよい。この通知は、バイブレーション、音、発光、表示の何れかによるようにしてもよい。
【００３９】
ここで、前記制御手段は、さらに、前記折り畳みモードで録画手段が録画していて、かつ、前記折り畳みモードが解消されたとき、録画手段がテレビ放送を録画している旨をユーザに通知するようにしてもよい。
【００４０】
ここで、前記制御手段は、さらに、前記折り畳みモードで録画手段がテレビ放送を録画していて、かつ、前記折り畳みモードが解消されたとき、録画手段によって録画されたテレビ放送を再生すべきかどうかをユーザに問い合わせるようにしてもよい。
【００４１】
この構成によれば、開始時刻における前記動作モードが折り畳みモードである場合に、テレビ再生と折り畳みモードの両者を並存させ、折り畳みモードを停止させ、テレビ再生を通知し、または、折り畳みモードのままでテレビ録画に代替させることを、ユーザ操作の有無に関わらず実現することができる。
【００４２】
ここで、前記制御手段は、さらに、録画手段がテレビ放送を録画していて、かつユーザが電源オフ操作をしたとき、ユーザに警告するようにしてもよい。
【００４３】
この構成によれば、予約によるテレビ再生の代わりにテレビ録画が実行されたことを、ユーザが気付かないことを防止することができる。
【００４４】
ここで、前記制御手段は、予め定められた停止条件が満たされたとき、前記録画手段による録画を終了させるようにしてもよい。
【００４５】
ここで、前記携帯端末装置は、さらに、放送される電子番組ガイド情報に基づいて録画手段によって録画中の番組の終了時刻を検出する検出手段を備え、前記停止条件は、前記検出手段によって検出された終了時刻であるようにしてもよい。
【００４６】
ここで、前記停止条件は、録画終了を指示するユーザ操作であってもよい。
この構成によれば、予約によるテレビ再生の代わりにテレビ録画が実行されていることをユーザが気付かない場合でも、適切にテレビ録画を修了させることができる。さらに、番組の終了時刻を停止条件とした場合、記録媒体又はメモリの空き領域全部をテレビ録画によって０にする事態を防止することができる。
【００４７】
また、本発明の携帯端末装置における制御方法、プログラム、集積回路装置についても上記と同様の構成を有し、作用効果を奏する。
【発明の効果】
【００４８】
本発明の携帯端末装置、その制御方法、プログラムおよび集積回路装置によれば、携帯端末装置が視聴予約の開始時刻に他の動作モードを実行している場合に、他の動作モードとテレビ再生との両者について、並存させる、一方を一時的に停止する、一方を代替動作させるなどの制御を動作モードの種類に応じて行うことができる。これにより、テレビ放送の予約視聴と他の動作モードとの衝突を回避し、かつ簡便な操作性で実現することができる。
【００４９】
また、事前に他の動作モード実行中であれば、ユーザ自身の操作によってテレビ再生の代わりにテレビ録画を選択し、実行中の動作モードを続行させることを可能にする。
【００５０】
また、他の動作モードとテレビ再生との両者の制御について、並存、一方の一時的停止、一方の代替、の何れをすべきかのユーザ選択を事前にあるいはデフォルトを定めておけば、開始時刻においてユーザ操作なしで実現することができる。また、開始時刻において上記のユーザ選択を問い合わせれば、例えばメニュー選択という簡単なユーザ操作によって、状況に応じて適切な制御をすることができる。
【発明を実施するための最良の形態】
【００５１】
図１は、本発明の実施の形態における携帯端末装置の構成を示すブロック図である。同図のように携帯端末装置は、ＴＶ受信部１０１、ＴＶ処理部１０２、補助情報処理部１０３、無線部１０４、送受信処理部１０５、メール処理部１０６、メール保存部１０７、出力制御部１０８、表示部１０９、音声再生部１１０、予約記憶部１１１、時計部１１２、電源管理部１１３、操作部１１４、記録媒体１１５、記録制御部１１６、再生制御部１１７、カメラ１１８、カメラ制御部１１９、開閉検知部１２０、初期設定部１２１、制御部１２２、通知部１２３を備え、テレビ放送の視聴予約の開始時刻における動作モードとテレビ再生とを制御し、それらが並存あるいはユーザ所望の動作を行うように構成されている。
【００５２】
ＴＶ受信部１０１は、例えば日本における地上波ディジタル放送の１セグメントサービスに対応するテレビチューナであり、トランスポートストリーム（以下ＴＳと呼ぶ）中の１セグメントを受信する。地上ディジタルテレビ放送１チャンネルの帯域を１３セグメントに分割し、そのうち１２セグメントを家庭内のテレビ受信機向けサービスに、１セグメントを携帯端末装置向けサービスに割り当てている。１セグメントサービスとは、他の１２セグメントと同内容のコンテンツを１セグメントで携帯端末向けに放送するサービスである。同様のサービスは、韓国、ヨーロッパ等でも実施される予定である。
【００５３】
ＴＶ処理部１０２は、ＴＳデコーダおよびＭＰＥＧデコーダであり、ＴＶ受信部１０１によって受信された１セグメントのＴＳ、または、再生制御部１１７によって記録媒体１１５から読み出された１セグメントのＴＳをデコードする。
【００５４】
補助情報処理部１０３は、ＴＳ中のセクション形式のデータを受信する。このセクション形式のデータには電子番組情報（ＥＰＧ：electronic program guide）が含まれる。電子番組情報は、チャネル番号、チャネル名、番組名、番組開始時刻、終了時刻、出演者名等を含む番組表を含む。
【００５５】
無線部１０４および送受信処理部１０５は、音声通話、テレビ電話、およびデータ通信を行う。
【００５６】
メール処理部１０６は、電子メールの作成、表示等の処理を行う。
メール保存部１０７は、メール処理部１０６で作成されたメール、送受信処理部１０５によって受信された受信メールを保存する。
【００５７】
出力制御部１０８は、ＴＶ処理部１０２から出力されるビデオデータ、オーディオデータを表示部１０９、音声再生部１１０に出力する制御を行う。その際、出力制御部１０８は、制御部１２２からの指示に従って画面分割表示又は２画面表示を行うように表示部１０９を制御する。画面分割表示とは、１つの表示パネル内の２つの分割領域に異なる内容を表示することをいう。２画面表示とは、２つの表示パネルに異なる内容を表示することをいう。図２は、画面分割表示の説明図である。同図左側では表示パネルにメール作成用の表示領域ｄ１が表示されている。同図右側では、メール作成用の分割領域ｄ２とテレビ表示用の分割領域ｄ３とが表示されている。
【００５８】
表示部１０９は、２つの液晶表示パネルを有する。図３Ａ、図３Ｂに２つの液晶パネルを有する携帯端末装置の一例を示す。図３Ａは折り畳み型携帯端末装置１００を開いた状態の前面を示し、図３Ｂは背面を示す。携帯端末装置１００は、前面にメインディスプレイｄ４、操作キー部を、背面にサブディスプレイｄ５、カメラｃ１、発光部Ｌ１を、側面に記録媒体ｍ１を装着するためのメモリカードスロットを有する。また、図４Ａ、図
４Ｂに２つの液晶パネルを有する携帯端末装置の他の一例を示す。図４Ａは回転ヒンジを有する折り畳み型の携帯端末装置１００ａを開いた状態の前面を示し、図４Ｂは操作キー部を回転させた状態を示す。携帯端末装置１００ａは、第１ディスプレイｄ６、第２ディスプレイｄ７、操作キー部ｋ１、カメラｃ２、発光部Ｌ２、メモリカードスロット等を有する。発光部Ｌ１、Ｌ２はそれぞれ発光ダイオード（ＬＥＤ：light emitting diode）又はフラッシュライトである。
【００５９】
音声再生部１１０は、音声通話用のスピーカとは別個に設けられたスピーカを有し、テレビ音声力、テレビ電話での音声、各種の通知、警告に用いられる。
【００６０】
予約記憶部１１１は、操作部１１４におけるユーザ操作に従って、テレビの視聴予約としてテレビ再生を開始すべき開始時刻と、予告用の一定時間値とを記憶する。一定時間値は例えば、６０秒、３０秒などであり、開始時刻から一定時間Δｔ前（以下、予告時刻と呼ぶ）に、テレビ再生の開始を予告をするために用いられる。
【００６１】
時計部１１２は、現在時刻を出力する。
電源管理部１１３は、電源オフ時に１１２、予約記憶部１１１、開閉検知部１２０、制御部１２２に電源を供給する。この供給により、電源オフ時でも制御部１２２は予告時刻および開始時刻の到来を検出する。
【００６２】
操作部１１４は、図３Ａ又は図４Ａに示した操作キー部に相当する。
記録媒体１１５は、メモリカードスロットに装着された半導体メモリカードである。なお記録媒体１１５は、半導体メモリカードに限らずリムーバブルハードディスク、記録可能な光ディスク等でもよい。
【００６３】
記録制御部１１６は、テレビ放送番組の録画、つまりＴＶ受信部１０１によって受信されたＴＳを記録媒体１１５に記録する。この記録制御部１１６は、記録媒体１１５に記録する代わりに、リムーバブルハードディスク、記録可能な光ディスク、携帯端末装置内に固定された本体メモリの何れかに選択的に記録する。本実施の形態では、代表例として記録制御部１１６が記録媒体１１５に記録する場合について説明する。
【００６４】
再生制御部１１７は、記録媒体１１５に録画された番組の再生、つまり記録媒体１１５からＴＳを読み出しＴＶ処理部１０２に出力する。
【００６５】
カメラ１１８は、イメージセンサを含み、静止画や動画を撮影する。
カメラ制御部１１９は、カメラ１１８による撮像を制御し、撮像した静止画データや動画データを圧縮し記録媒体１１５へ格納し、または、テレビ電話用の動画データとして送受信処理部１０５出力する。
【００６６】
開閉検知部１２０は、携帯端末装置が折り畳み状態であるか開いた状態であるかを検知する。なお、開閉検知部１２０は、携帯端末装置が折り畳み式ではなくスライド式等である場合でも、閉じた状態であるか否か、表示画面が隠れた状態か否か、ユーザから見えるない状態であるか否かを検知する。折り畳み状態、表示画面が閉じた状態、隠れた状態、ユーザから見えない状態を総称してインビジブルモードと呼ぶ。以下では、インビジブルモードの代表として折り畳みモードの場合を説明する。
【００６７】
初期設定部１２１は、テレビ放送の視聴予約の開始時刻において携帯端末装置がメール作成、通話などの動作モードになっている場合にその動作モードとテレビ再生とを制御するための各種設定値を設定値テーブルとして保持する。設定値テーブルは、工場出荷時時に各種設定値のデフォルト値を保持し、操作部１１４におけるユーザ操作により自由に変更かのうである。
【００６８】
図５に設定値テーブルの一例を示す。同図では、設定値テーブルは、第１〜第５設定値を有する。第１設定値は、開始時刻において携帯端末装置がメール作成モードである場合の制御に関する。第２設定値は、開始時刻において記録媒体１１５に記録された動画や静止画等のデータを再生および表示する再生モードである場合の制御に関する。第３設定値は、開始時刻において携帯端末装置が通話モードである場合の制御に関し、第１〜第３パラメータからなる。ここで通話モードは、音声通話モード、テレビ電話モード、ウェブブラウジング等を行うデータ通信モードの総称である。第１パラメータは、開始時刻において携帯端末装置が音声通話モードである場合の制御に関する。第２パラメータは、開始時刻において携帯端末装置がテレビ通話モードである場合の制御に関する。第３パラメータは、開始時刻において携帯端末装置がデータ通信モードである場合の制御に関する。第４設定値は、開始時刻において携帯端末装置が折り畳まれた状態である折り畳みモードである場合の制御に関する。第５設定値は、開始時刻において携帯端末装置が電話の待ち受け受信のみをしている待機モードある場合の制御に関する。第１〜第５設定値のデフォルト値はそれぞれ「１」であるものとする。
【００６９】
図６Ａは、第１設定値の具体例を示す説明図である。同図において第１設定値の「１」は、開始時刻において、メール作成モードで作成中のメールをメール保存部１０７に一時的に保存して、テレビ再生による映像表示（以下テレビ表示と略す）を開始することを意味する。第１設定値の「２」は、開始時刻において、画面分割により、作成中のメールを一方の分割領域に、テレビ表示を他方の分割領域に表示することを意味する。第１設定値の「３」は、開始時刻において、２画面表示により、作成中のメールを２つのディスプレイの一方に、テレビ表示を２つのディスプレイの他方に表示することを意味する。第１設定値の「４」は、開始時刻において、作成中のメールのディスプレイ表示を続行し、テレビ表示の代わりにテレビ録画することを意味する。第１設定値の「５」は、開始時刻において、第１の設定値の上記「１」〜「４」が示す動作のうちいずれを選択するかをユーザに問い合わせることを意味する。
【００７０】
図６Ｂは、第２設定値の具体例を示す説明図である。同図において第２設定値の「１」は、開始時刻において、記録媒体１１５からのデータ再生を停止して、テレビ表示することを意味する。第２設定値の「２」は、開始時刻において、記録媒体１１５からのデータ再生および表示を続行し、テレビ表示の代わりにテレビ録画することを意味する。第２設定値の「３」は、開始時刻において、画面分割により、記録媒体１１５からのデータ再生および表示を一方の分割領域に表示し、他方の分割領域にテレビ表示することを意味する。第２設定値の「４」は、開始時刻において、２画面表示により、２つのディスプレイの一方に記録媒体１１５からのデータの再生および表示をし、２つのディスプレイの他方にテレビ表示することを意味する。第２設定値の「５」は、開始時刻において、第２の設定値の上記「１」〜「４」が示す動作のうちいずれを選択するかをユーザに問い合わせることを意味する。
【００７１】
図６Ｃは、第３設定値に含まれる第１〜第３パラメータの具体例を示す説明図である。同図において第１パラメータの「１」は、開始時刻において、音声通話を続行し、テレビ表示の変わりにテレビ録画することを意味する。第１パラメータの「２」は、開始時刻において、音声通話を続行し、テレビ表示することを意味する。第１パラメータの「３」は、開始時刻において、音声通話を続行し、テレビ表示をキャンセルすることを意味する。第１パラメータの「４」は、開始時刻において、第１パラメータの上記「１」〜「４」が示す動作のうちいずれを選択するかをユーザに問い合わせることを意味する。
【００７２】
第２パラメータの「１」は、開始時刻において、テレビ電話を続行して、テレビ表示の変わりにテレビ録画することを意味する。第２パラメータの「２」は、開始時刻において、画面分割により、一方の分割領域にテレビ電話を表示し、他方の分割領域にテレビ表示をすることを意味する。第２パラメータの「３」は、開始時刻において、２画面表示により、２つのディスプレイの一方にテレビ電話を表示し、他方にテレビ表示をすることを意味する。第２パラメータの「４」は、開始時刻において、テレビ電話を続行し、テレビ表示をキャンセルすることを意味する。第２パラメータの「５」は、第２パラメータの上記「１」〜「４」が示す動作のうちいずれを選択するかをユーザに問い合わせることを意味する。
【００７３】
第３パラメータの「１」は、開始時刻において、データ通信を続行して、テレビ表示の変わりにテレビ録画することを意味する。第３パラメータの「２」は、開始時刻において、画面分割により、一方の分割領域にデータ通信の内容を表示し、他方の分割領域にテレビ表示をすることを意味する。第３パラメータの「３」は、開始時刻において、２画面表示により、２つのディスプレイの一方にデータ通信の内容を表示し、他方にテレビ表示をすることを意味する。第３パラメータの「４」は、開始時刻において、データ通信を続行し、テレビ表示をキャンセルすることを意味する。第３パラメータの「５」は、開始時刻において、データ通信を切断し、テレビ表示することを意味する。第３パラメータの「６」は、第３パラメータの上記「１」〜「５」が示す動作のうちいずれを選択するかをユーザに問い合わせることを意味する。
【００７４】
図６Ｄは、第４設定値の具体例を示す説明図である。同図において第４設定値の「１」は、開始時刻において、テレビ表示の代わりにテレビ録画を開始し、その旨をサブディスプレイあるいは発光部により通知することを意味する。第４設定値の「２」は、開始時刻において、メインディスプレイにバックライトをオフにしたスタンバイ状態でテレビ表示し、テレビの音声出力をし、その旨をサブディスプレイ、スピーカあるいは発光部等により通知することを意味する。第４設定値の「３」は、開始時刻において、サブディスプレイにテレビ表示し、その旨をスピーカあるいは発光部等により通知することを意味する。第４設定値の「４」は、開始時刻において、第４設定値の上記「１」〜「３」が示す動作のうちいずれを選択するかをサブディスプレイを用いてユーザに問い合わせることを意味する。
【００７５】
図６Ｅは、第５設定値の具体例を示す説明図である。同図において第５設定値の「１」は、開始時刻において、テレビ表示し、その旨をスピーカ、サブディスプレイあるいは発光部等により通知することを意味する。第５設定値の「２」は、開始時刻において、テレビ表示し、その旨の通知をしないことを意味する。
【００７６】
制御部１２２は、予告時刻の到来を検出し、予告時刻において視聴予約によるテレビ表示を予告し、視聴予約による開始時刻の到来を検出し、開始時刻において携帯端末装置の動作モードを判定し、初期設定部１２１の設定値テーブルの各種設定値に従って、判定された動作モードと視聴予約によるテレビ表示とを制御する。
【００７７】
通知部１２３は、音声再生部１１０のスピーカ、発光部、表示部１０９のディスプレイを用いて予告、通知を行う。
【００７８】
図７は、制御部１２２における視聴予約についての制御処理を示すフローチャートである。同図のように、制御部１２２は、予約記憶部１１１に記憶された開始時刻と一定時間Δｔに基づいて時計部１１２が計時する現在時刻が予告時刻（開始時刻−Δｔ）になったか否かを判定し（Ｓ７０１）、予告時刻であると判定されたとき、現在の動作モードが折り畳みモードでなくかつ待機モードであるかどうかを判定し（Ｓ７０２）、折り畳みモードでなくかつ待機モードであると判定された場合、制御部１２２は、メインディスプレイに予約再生を開始する旨を予告する（Ｓ７０３）。この予告では、例えばメインディスプレイには「６０秒後に予約されたテレビ表示を開始します。」と表示され、スピーカからビープ音、メロディ音又は「６０秒後に予約されたテレビ表示を開始します。」との音声が出力され、あるいは発光部の点灯又は点滅等がなされる。
【００７９】
待機モード以外であると判定された場合、制御部１２２は、メインディスプレイを用いないで、予約再生を開始する旨を表示部１０９に予告させる（Ｓ７０３）。この予告では、例えば、サブディスプレイには「６０秒後に予約されたテレビ表示を開始します。」と表示され、スピーカからビープ音、メロディ音又は「６０秒後に予約されたテレビ表示を開始します。」との音声が出力され、発光部の点灯又は点滅等がなされる。
【００８０】
さらに、制御部１２２は、予約記憶部１１１に記憶された開始時刻と時計部１１２が計時する現在時刻と一致するか否かを判定し（Ｓ７０５）、開始時刻であると判定された場合、現在の動作モードを判別する（Ｓ７０６）し、判別された動作モードがメール作成モードであれば制御処理１を行い（Ｓ７０７）、判別された動作モードが記録媒体１１５からの再生モードであれば制御処理２を行い（Ｓ７０８）、判別された動作モードが通話モードであれば制御処理３を行い（Ｓ７０９）、判別された動作モードが折り畳みモードであれば制御処理４を行い（Ｓ７１０）、判別された動作モードが待機モードであれば制御処理５を行う（Ｓ７１１）。
【００８１】
図８は、制御処理１の詳細を示すフローチャートである。同図のように、予約視聴の開始時刻に携帯端末装置がメール作成モードである場合、制御部１２２は、初期設定部１２１に記憶された設定値テーブルから第１の設定値を読み出して変数Ｎ１に代入し（Ｓ８０１）、変数Ｎ１の値を判別する（Ｓ８０２）。
【００８２】
Ｎ１＝１である場合、制御部１２２は、メール作成モードで作成中のメールをメール保存部１０７に一時的に保存するようメール処理部１０６を制御し（Ｓ８１１）、テレビ表示を開始するようにＴＶ受信部１０１、ＴＶ処理部１０２、出力制御部１０８を制御する（Ｓ８１２）。その結果、メール処理部１０６は、メール作成処理をいったん終了し、メール作成モードは中断される。出力制御部１０８は、表示部１０９のメインディスプレイにテレビ放送の番組を表示させ、音声再生部１１０のスピーカからテレビ音声を出力させる。さらに、制御部１２２は、テレビ表示が終了したときに作成中のメールを一時保存した旨をユーザに通知するよう通知部１２３に指示してもよい。
【００８３】
Ｎ１＝２である場合、制御部１２２は、出力制御部１０８に画面分割による表示を指示する。つまり、制御部１２２は出力制御部１０８に画面分割を指示し（Ｓ８２１）、作成中のメールを一方の分割領域に表示させ（Ｓ８２２）、テレビ表示を他方の分割領域に表示させる（Ｓ８２３）。例えば、上の分割領域にテレビ表示、下の分割領域にメール表示がなされる。これにより、ユーザは、メール作成と同時に予約したテレビ番組を視聴することができる。なお、テレビ表示およびメール表示と２つのディスプレイの対応関係は逆でもよい。また、初期設定部１２１がさらに値が２である場合の第１設定値についてのサブパラメータを記憶しておき、このサブパラメータの値に応じて、上記の対応関係を決定するようにしてもよい。
【００８４】
Ｎ１＝３である場合、制御部１２２は、２画面表示を指示する。つまり、制御部１２２は、メール処理部１０６に作成中のメールをサブディスプレイに表示させ（Ｓ８３１）、テレビ放送番組をメインディスプレイに表示させる（Ｓ８３２）。これにより、ユーザは、メール作成と同時に予約したテレビ番組を視聴することができる。なお、テレビ表示およびメール表示と２つのディスプレイの対応関係は逆でもよい。また、初期設定部１２１がさらに第１設定値Ｎ１＝３についてのするサブパラメータを記憶しておき、このサブパラメータの値に応じて、上記の対応関係を決定するようにしてもよい。
【００８５】
Ｎ１＝４である場合、制御部１２２は、メール処理部１０６におけるメール作成モードを続行させ（Ｓ８４１）、テレビ表示の代わりにテレビ録画を開始するようにＴＶ受信部１０１、記録制御部１１６を制御する（Ｓ８４２）。これによりテレビ録画が開始し、ユーザはメール作成を続けることができる。さらに、制御部１２２は、メール作成モードが終了したか否かを判定し（Ｓ８４３）、メール作成モードが終了したと判定されたとき、テレビ録画中である旨を通知するよう通知部１２３を制御する（Ｓ８４４）。通知部１２３は、例えば、メインディスプレイ又はサブディスプレイに「予約されたテレビ放送番組を録画中です。」あるいは「予約されたテレビ放送番組”番組名”を録画中です。」と表示部１０９に表示させ、スピーカからビープ音、メロディ音又は「予約されたテレビ放送番組を録画中です。」との音声が出力され、あるいは発光部の点灯又は点滅等がなされる。上記の”番組名”は、補助情報処理部１０３により受信された電子番組情報から制御部１２２によって抽出される。また、メール作成モードが終了していないと判定された場合、制御部１２２は、テレビ録画の停止条件が満たされているかどうかを判定する（Ｓ８４５）。この停止条件は、例えば、録画中のテレビ放送番組の終了時刻である。この終了時刻は、補助情報処理部１０３により受信された電子番組情報から制御部１２２によって抽出される。また、停止条件は、テレビ録画を終了させる明示的なユーザ操作も含む。停止条件が満たされていると判定された場合、制御部１２２は、テレビ録画を終了するようにＴＶ受信部１０１、記録制御部１１６を制御し（Ｓ８４６）、録画されたテレビ番組の再生をするかどうかをユーザに問い合わせるよう通知部１２３に指示する（Ｓ８４７）。この指示に従って通知部１２３は、例えば「予約されたテレビ放送番組”番組名”の録画が完了しました。再生しますか？」という問い合わせメッセージを表示部１０９に表示させる。制御部１２２は、問い合わせに応答するユーザ操作が「再生する」であるか「再生しない」であるかを判定し（Ｓ８４８）、「再生する」である場合は、テレビ録画したテレビ放送番組の再生を開始する（Ｓ８４９）。
【００８６】
Ｎ１＝５である場合、制御部１２２は、第１の設定値の上記「１」〜「４」が示す動作のうちいずれを選択するかをユーザに問い合わせること通知部１２３に指示する（Ｓ８５１）。この指示に従って通知部１２３は、例えば「予約視聴の開始時刻になりました。動作を１〜４から選択してください。」「１  メールを保存、ＴＶ表示」「２  画面分割によりメール作成続行、ＴＶ表示」「３  ２画面表示によりメール作成続行、ＴＶ表示」「４ メール作成続行、ＴＶを録画」という問い合わせメニューを表示部１０９に表示させる。制御部１２２は、この問い合わせに対するユーザ操作によって選択された番号をＮ１に代入し（Ｓ８５２）、Ｓ８０２に戻る。その結果制御部１２２は、ユーザ選択に従って上記Ｎ１＝「１」〜「４」の何れかと同様の動作を行う。
【００８７】
図９は、制御処理２の詳細を示すフローチャートである。同図のように、予約視聴の開始時刻に携帯端末装置が再生モードである場合、制御部１２２は、初期設定部１２１に記憶された設定値テーブルから第２の設定値を読み出して変数Ｎ２に代入し（Ｓ９０１）、変数Ｎ２の値を判別する（Ｓ９０２）。
【００８８】
Ｎ２＝１である場合、制御部１２２は、再生制御部１１７およびＴＶ処理部１０２による記録媒体１１５からのデータ再生を停止させ（Ｓ９１１）、テレビ表示を開始するようにＴＶ受信部１０１、ＴＶ処理部１０２、出力制御部１０８を制御する（Ｓ９１２）。
【００８９】
Ｎ２＝２である場合、制御部１２２は、再生制御部１１７およびＴＶ処理部１０２による記録媒体１１５からのデータ再生を続行させ（Ｓ９２１）、テレビ表示の代わりにテレビ録画を開始するようにＴＶ受信部１０１、記録制御部１１６を制御する（Ｓ９２２）。これによりテレビ録画が開始し、ユーザは記録媒体１１５からのデータ再生を視聴することができる。さらに、制御部１２２は、ユーザは記録媒体１１５からのデータ再生が終了したか否かを判定し（Ｓ９２３）、データ再生が終了したと判定されたとき、テレビ録画中である旨を通知するよう通知部１２３を制御する（Ｓ９２４）。通知部１２３は、上記Ｓ８４４と同様に、その旨を通知する。また、データ再生が終了していないと判定された場合、制御部１２２は、テレビ録画の停止条件が満たされているかどうかを判定する（Ｓ９２５）。この停止条件は、上記Ｓ８４５と同様である。停止条件が満たされていると判定された場合、制御部１２２は、テレビ録画を終了するようにＴＶ受信部１０１、記録制御部１１６を制御し（Ｓ９２６）、録画されたテレビ番組の再生をするかどうかをユーザに問い合わせるよう通知部１２３に指示する（Ｓ９２７）。この指示に従って通知部１２３の通知は、上記Ｓ８４７と同様である。制御部１２２は、問い合わせに応答するユーザ操作が「再生する」であるか「再生しない」であるかを判定し（Ｓ９２８）、「再生する」である場合は、テレビ録画したテレビ放送番組の再生を開始する（Ｓ９２９）。
【００９０】
Ｎ２＝３である場合、制御部１２２は、出力制御部１０８に画面分割による表示を指示する。つまり、制御部１２２は出力制御部１０８に画面分割を指示し（Ｓ９３１）、データ再生による映像を一方の分割領域に表示させ（Ｓ９３２）、テレビ表示を他方の分割領域に表示させる（Ｓ９３３）。例えば、上の分割領域にテレビ表示、下の分割領域にデータ再生による映像の表示がなされる。このとき、音声再生部１１０は、データ再生による音声とテレビ音声との両方を混合して出力してもよいし、一方をスピーカから他方をイヤホン出力としてもよい。これにより、ユーザは、データ再生による表示と同時に予約したテレビ番組を視聴することができる。なお、テレビ表示およびデータ再生の表示と２つのディスプレイの対応関係は逆でもよい。また、初期設定部１２１がさらに値が３である場合の第２設定値についてのサブパラメータを記憶しておき、このサブパラメータの値に応じて、２つの分割領域と２つの表示との対応関係、スピーカおよびイヤホンと２つの音声出力との対応関係を決定するようにしてもよい。
【００９１】
Ｎ２＝４である場合、制御部１２２は、２画面表示を指示する。つまり、制御部１２２は、データ再生による映像をサブディスプレイに表示させ（Ｓ９４１）、テレビ放送番組をメインディスプレイに表示させる（Ｓ９４２）。このとき、音声再生部１１０は、データ再生による音声とテレビ音声との両方を混合して出力してもよいし、一方をスピーカから他方をイヤホン出力としてもよい。これにより、ユーザは、データ再生による映像と同時に予約したテレビ番組を視聴することができる。なお、テレビ表示およびデータ再生による映像表示と２つのディスプレイの対応関係は逆でもよい。また、初期設定部１２１がさらに、値が４である場合の第２設定値についてのサブパラメータを記憶しておき、このサブパラメータの値に応じて、テレビ表示およびデータ再生による映像表示と２つディスプレイの対応関係、スピーカおよびイヤホンと２つの音声出力との対応関係を決定するようにしてもよい。
【００９２】
Ｎ２＝５である場合、制御部１２２は、第２の設定値の上記「１」〜「４」が示す動作のうちいずれを選択するかをユーザに問い合わせること通知部１２３に指示する（Ｓ９５１）。この指示に従って通知部１２３は、例えば「予約視聴の開始時刻になりました。動作を１〜４から選択してください。」「１  データ再生を停止、ＴＶ表示」「２  データ再生続行、ＴＶ録画」「３  画面分割によりデータ再生続行、ＴＶ表示」「４  ２画面表示によりデータ再生続行、ＴＶ表示」という問い合わせメニューを表示部１０９に表示させる。制御部１２２は、この問い合わせに対するユーザ操作によって選択された番号をＮ２に代入し（Ｓ９５２）、Ｓ９０２に戻る。その結果制御部１２２は、ユーザ選択に従って上記Ｎ２＝「１」〜「４」の何れかと同様の動作を行う。
【００９３】
図１０Ａは、制御処理３の概要を示すフローチャートである。同図のように、予約視聴の開始時刻に携帯端末装置が通話モードである場合、制御部１２２は、通話モードの種類を判別する（Ｓ１００１）。判別の結果、通話モードが音声通話モードである場合、制御部１２２は、初期設定部１２１に記憶された設定値テーブルから第３の設定値の第１パラメータを読み出して変数Ｎ３１に代入し（Ｓ１１０１）、第１パラメータ処理を行う（Ｓ１１０２）。通話モードがテレビ電話モードである場合、制御部１２２は、初期設定部１２１に記憶された設定値テーブルから第３の設定値の第２パラメータを読み出して変数Ｎ３２に代入し（Ｓ１２０１）、第２パラメータ処理を行う（Ｓ１２０２）。また、通話モードがデータ通信モードである場合、制御部１２２は、初期設定部１２１に記憶された設定値テーブルから第３の設定値の第３パラメータを読み出して変数Ｎ３３に代入し（Ｓ１３０１）、第３パラメータ処理を行う（Ｓ１３０２）。
【００９４】
図１０Ｂは、図１０Ａ中の第１パラメータ処理の詳細を示すフローチャートである。同図のように、制御部１２２は、変数Ｎ３１の値を判定し（Ｓ１１０３）、判定結果に応じて以下を処理する。
【００９５】
Ｎ３１＝１である場合、制御部１２２は、無線部１０４および送受信処理部１０５による音声通話を続行させ（Ｓ１１１１）、テレビ表示の代わりにテレビ録画を開始するようにＴＶ受信部１０１、記録制御部１１６を制御する（Ｓ１１１２）。これによりテレビ録画が開始し、ユーザは音声通話を続けることができる。さらに、制御部１２２は、音声通話が終了したか否かを判定し（Ｓ１１１３）、音声通話が終了したと判定されたとき、テレビ録画中である旨を通知するよう通知部１２３を制御する（Ｓ１１１４）。これにより通知部１２３は、上記Ｓ８４４と同様に、その旨を通知する。また、音声通話が終了していないと判定された場合、制御部１２２は、テレビ録画の停止条件が満たされているかどうかを判定する（Ｓ１１１５）。この停止条件は、上記Ｓ８４５と同様である。停止条件が満たされていると判定された場合、制御部１２２は、テレビ録画を終了するようにＴＶ受信部１０１、記録制御部１１６を制御し（Ｓ１１１６）、録画されたテレビ番組の再生をするかどうかをユーザに問い合わせるよう通知部１２３に指示する（Ｓ１１１７）。これによる通知部１２３の通知は、上記Ｓ８４７と同様である。制御部１２２は、問い合わせに応答するユーザ操作が「再生する」であるか「再生しない」であるかを判定し（Ｓ１１１８）、「再生する」である場合は、テレビ録画したテレビ放送番組の再生を開始する（Ｓ１１１９）。
【００９６】
Ｎ３１＝２である場合、制御部１２２は、無線部１０４および送受信処理部１０５による音声通話を続行させ（Ｓ１１２１）、ＴＶ受信部１０１、ＴＶ処理部１０２、出力制御部１０８にテレビ表示を開始させる（Ｓ１１２２）。このとき音声再生部１１０は、音声通話の妨げにならないように、テレビ音声出力の音量を小さくする、あるいはミュートするようにしてもよい。これにより、ユーザは音声通話と同時にテレビ番組を視聴することができる。
【００９７】
Ｎ３１＝３である場合、制御部１２２は、無線部１０４および送受信処理部１０５による音声通話を続行させ（Ｓ１１３１）、ＴＶ表示をキャンセルする（Ｓ１１３２）。これにより、ユーザは音声通話に専念することができる。
【００９８】
Ｎ３１＝４である場合、制御部１２２は、第３の設定値の第１パラメータの上記「１」〜「４」が示す動作のうちいずれを選択するかをユーザに問い合わせること通知部１２３に指示する（Ｓ１１４１）。この指示に従って通知部１２３は、例えば「予約視聴の開始時刻になりました。動作を１〜４から選択してください。」「１  音声通話を続行、ＴＶ録画」「２  音声通話を続行、ＴＶ表示」「３  音声通話を続行、ＴＶ表示をキャンセル」という問い合わせメニューを表示部１０９に表示させる。制御部１２２は、この問い合わせに対するユーザ操作によって選択された番号をＮ３１に代入し（Ｓ１１４２）、Ｓ１１０３に戻る。その結果制御部１２２は、ユーザ選択に従って上記Ｎ３１＝「１」〜「４」の何れかと同様の動作を行う。
【００９９】
図１０Ｃは、図１０Ａ中の第２パラメータ処理の詳細を示すフローチャートである。同図のように、制御部１２２は、変数Ｎ３２の値を判定し（Ｓ１２０３）、判定結果に応じて以下を処理する。
【０１００】
Ｎ３２＝１である場合、制御部１２２は、無線部１０４および送受信処理部１０５によるテレビ電話を続行させ（Ｓ１２１１）、テレビ表示の代わりにテレビ録画を開始するようにＴＶ受信部１０１、記録制御部１１６を制御する（Ｓ１２１２）。これによりテレビ録画が開始し、ユーザはテレビ電話を続けることができる。さらに、制御部１２２は、テレビ電話が終了したか否かを判定し（Ｓ１２１３）、テレビ電話が終了したと判定されたとき、テレビ録画中である旨を通知するよう通知部１２３を制御する（Ｓ１２１４）。これにより通知部１２３は、上記Ｓ８４４と同様に、その旨を通知する。また、テレビ電話が終了していないと判定された場合、制御部１２２は、テレビ録画の停止条件が満たされているかどうかを判定する（Ｓ１２１５）。この停止条件は、上記Ｓ８４５と同様である。停止条件が満たされていると判定された場合、制御部１２２は、テレビ録画を終了するようにＴＶ受信部１０１、記録制御部１１６を制御し（Ｓ１１１６）、録画されたテレビ番組の再生をするかどうかをユーザに問い合わせるよう通知部１２３に指示する（Ｓ１２１７）。これによる通知部１２３の通知は、上記Ｓ８４７と同様である。制御部１２２は、問い合わせに応答するユーザ操作が「再生する」であるか「再生しない」であるかを判定し（Ｓ１２１８）、「再生する」である場合は、テレビ録画したテレビ放送番組の再生を開始する（Ｓ１２１９）。
【０１０１】
Ｎ３２＝２である場合、制御部１２２は、出力制御部１０８に画面分割による表示を指示する。つまり、制御部１２２は出力制御部１０８に画面分割を指示し（Ｓ１２２１）、テレビ電話による映像を一方の分割領域に表示させ（Ｓ１２２２）、テレビ表示を他方の分割領域に表示させる（Ｓ１２２３）。例えば、上の分割領域にテレビ表示、下の分割領域にテレビ電話による映像の表示がなされる。このとき、音声再生部１１０は、テレビ電話による音声とテレビ音声との両方を混合して出力してもよいし、一方をスピーカから他方をイヤホン出力としてもよい。これにより、ユーザは、テレビ電話と同時に予約したテレビ番組を視聴することができる。なお、テレビ表示およびテレビ電話の表示と２つのディスプレイの対応関係は逆でもよい。また、初期設定部１２１がさらに値が２である場合の第２パラメータについてのサブパラメータを記憶しておき、このサブパラメータの値に応じて、２つの分割領域と２つの表示との対応関係、スピーカおよびイヤホンと２つの音声出力との対応関係を決定するようにしてもよい。
【０１０２】
Ｎ３２＝３である場合、制御部１２２は、２画面表示を指示する。つまり、制御部１２２は、テレビ電話による映像をメインディスプレイに表示させ（Ｓ１２３１）、テレビ放送番組をサブディスプレイに表示させる（Ｓ１２３２）。このとき、音声再生部１１０は、テレビ電話による音声とテレビ音声との両方を混合して出力してもよいし、一方をスピーカから他方をイヤホン出力としてもよい。これにより、ユーザは、テレビ電話と同時に予約したテレビ番組を視聴することができる。なお、テレビ表示およびテレビ電話による映像表示と２つのディスプレイの対応関係は逆でもよい。また、初期設定部１２１がさらに、値が３である場合の第２パラメータについてのサブパラメータを記憶しておき、このサブパラメータの値に応じて、テレビ表示およびデータ再生による映像表示と２つディスプレイの対応関係、スピーカおよびイヤホンと２つの音声出力との対応関係を決定するようにしてもよい。
【０１０３】
Ｎ３２＝４である場合、制御部１２２は、カメラ１１８、カメラ制御部１１９、無線部１０４および送受信処理部１０５によるテレビ電話を続行させ（Ｓ１２４１）、ＴＶ表示をキャンセルする（Ｓ１１３２）。これにより、ユーザはテレビ電話に専念することができる。
【０１０４】
Ｎ３２＝５である場合、制御部１２２は、第３の設定値の第２パラメータの上記「１」〜「４」が示す動作のうちいずれを選択するかをユーザに問い合わせること通知部１２３に指示する（Ｓ１２５１）。この指示に従って通知部１２３は、例えば「予約視聴の開始時刻になりました。動作を１〜４から選択してください。」「１  テレビ電話を続行、ＴＶ録画」「２  画面分割によりテレビ電話続行、ＴＶ表示」「３  ２画面表示によりテレビ電話続行、ＴＶ表示」「４  ＴＶ電話続行、ＴＶ表示キャンセル」という問い合わせメニューを表示部１０９に表示させる。制御部１２２は、この問い合わせに対するユーザ操作によって選択された番号をＮ３２に代入し（Ｓ１２５２）、Ｓ１２０３に戻る。その結果制御部１２２は、ユーザ選択に従って上記Ｎ３２＝「１」〜「４」の何れかと同様の動作を行う。
【０１０５】
図１０Ｄは、図１０Ａ中の第３パラメータ処理の詳細を示すフローチャートである。同図のように、制御部１２２は、変数Ｎ３３の値を判定し（Ｓ１３０３）、判定結果に応じて以下を処理する。
【０１０６】
Ｎ３３＝１である場合、制御部１２２は、無線部１０４および送受信処理部１０５によるデータ通信を続行させ（Ｓ１３１１）、テレビ表示の代わりにテレビ録画を開始するようにＴＶ受信部１０１、記録制御部１１６を制御する（Ｓ１３１２）。これによりテレビ録画が開始し、ユーザはデータ通信（例えばウェブ・ブラウジング）を続けることができる。さらに、制御部１２２は、データ通信が終了したか否かを判定し（Ｓ１３１３）、データ通信が終了したと判定されたとき、テレビ録画中である旨を通知するよう通知部１２３を制御する（Ｓ１３１４）。これにより通知部１２３は、上記Ｓ８４４と同様に、その旨を通知する。また、データ通信が終了していないと判定された場合、制御部１２２は、テレビ録画の停止条件が満たされているかどうかを判定する（Ｓ１３１５）。この停止条件は、上記Ｓ８４５と同様である。停止条件が満たされていると判定された場合、制御部１２２は、テレビ録画を終了するようにＴＶ受信部１０１、記録制御部１１６を制御し（Ｓ１１１６）、録画されたテレビ番組の再生をするかどうかをユーザに問い合わせるよう通知部１２３に指示する（Ｓ１３１７）。これによる通知部１２３の通知は、上記Ｓ８４７と同様である。制御部１２２は、問い合わせに応答するユーザ操作が「再生する」であるか「再生しない」であるかを判定し（Ｓ１３１８）、「再生する」である場合は、テレビ録画したテレビ放送番組の再生を開始する（Ｓ１３１９）。
【０１０７】
Ｎ３３＝２である場合、制御部１２２は、出力制御部１０８に画面分割による表示を指示する。つまり、制御部１２２は出力制御部１０８に画面分割を指示し（Ｓ１３２１）、データ通信による映像を一方の分割領域に表示させ（Ｓ１３２２）、テレビ表示を他方の分割領域に表示させる（Ｓ１３２３）。例えば、上の分割領域にテレビ表示、下の分割領域にデータ通信による映像の表示がなされる。このとき、音声再生部１１０は、データ通信による音声とテレビ音声との両方を混合して出力してもよいし、一方をスピーカから他方をイヤホン出力としてもよい。これにより、ユーザは、データ通信と同時に予約したテレビ番組を視聴することができる。なお、テレビ表示およびデータ通信の表示と２つのディスプレイの対応関係は逆でもよい。また、初期設定部１２１がさらに値が２である場合の第３パラメータについてのサブパラメータを記憶しておき、このサブパラメータの値に応じて、２つの分割領域と２つの表示との対応関係、スピーカおよびイヤホンと２つの音声出力との対応関係を決定するようにしてもよい。
【０１０８】
Ｎ３３＝３である場合、制御部１２２は、２画面表示を指示する。つまり、制御部１２２は、データ通信による映像をメインディスプレイに表示させ（Ｓ１３３１）、テレビ放送番組をサブディスプレイに表示させる（Ｓ１３３２）。このとき、音声再生部１１０は、データ通信による音声とテレビ音声との両方を混合して出力してもよいし、一方をスピーカから他方をイヤホン出力としてもよい。これにより、ユーザは、データ通信と同時に予約したテレビ番組を視聴することができる。なお、テレビ表示およびデータ通信による映像表示と２つのディスプレイの対応関係は逆でもよい。また、初期設定部１２１がさらに、値が３である場合の第３２パラメータについてのサブパラメータを記憶しておき、このサブパラメータの値に応じて、テレビ表示およびデータ再生による映像表示と２つディスプレイの対応関係、スピーカおよびイヤホンと２つの音声出力との対応関係を決定するようにしてもよい。
【０１０９】
Ｎ３３＝４である場合、制御部１２２は、無線部１０４および送受信処理部１０５によるデータ通信を続行させ（Ｓ１３４１）、ＴＶ表示をキャンセルする（Ｓ１１３２）。これにより、ユーザはデータ通信に専念することができる。
【０１１０】
Ｎ３３＝５である場合、制御部１２２は、無線部１０４および送受信処理部１０５によるデータ通信を切断させ（Ｓ１３５１）、ＴＶ表示を開始させる（Ｓ１３５２）。これにより、ユーザはテレビ視聴に専念することができる。
【０１１１】
Ｎ３３＝６である場合、制御部１２２は、第３の設定値の第３パラメータの上記「１」〜「５」が示す動作のうちいずれを選択するかをユーザに問い合わせること通知部１２３に指示する（Ｓ１３６１）。この指示に従って通知部１２３は、例えば「予約視聴の開始時刻になりました。動作を１〜４から選択してください。」「１  データ通信を続行、ＴＶ録画」「２  画面分割によりデータ通信続行、ＴＶ表示」「３  ２画面表示によりデータ通信続行、ＴＶ表示」「４  データ通信続行、ＴＶ表示キャンセル」「５  データ通信切断、ＴＶ表示」という問い合わせメニューを表示部１０９に表示させる。制御部１２２は、この問い合わせに対するユーザ操作によって選択された番号をＮ３３に代入し（Ｓ１３６２）、Ｓ１３０３に戻る。その結果制御部１２２は、ユーザ選択に従って上記Ｎ３３＝「１」〜「５」の何れかと同様の動作を行う。
【０１１２】
図１１は、制御処理４の詳細を示すフローチャートである。同図のように、予約視聴の開始時刻に携帯端末装置が折り畳みモードである場合、制御部１２２は、初期設定部１２１に記憶された設定値テーブルから第４の設定値を読み出して変数Ｎ４に代入し（Ｓ１４０１）、変数Ｎ４の値を判別する（Ｓ１４０２）。
【０１１３】
Ｎ４＝１である場合、テレビ表示の代わりにテレビ録画を開始するようにＴＶ受信部１０１、記録制御部１１６を制御し（Ｓ１４１１）、テレビ録画中である旨を通知部１２３に通知させる（Ｓ１４１２）。通知部１２３は、折り畳みモードでもユーザに視認可能なサブディスプレイや、スピーカを用いてこの通知を行う。
【０１１４】
Ｎ４＝２である場合、制御部１２２は、テレビ表示を開始するようにＴＶ受信部１０１、ＴＶ処理部１０２、出力制御部１０８を制御する（Ｓ１４２１）。ただし、この場合のテレビ表示は、折り畳みモードが解除されれば（つまり携帯端末装置が開かれれば）即座にテレビ表示できるようにバックライトのみ消灯するなど、テレビ表示のスタンバイでよい。さらに、制御部１２２は、テレビ表示を開始したことを通知部１２３に通知させる（Ｓ１４２２）。この通知は、例えばサブディスプレイに「予約によるテレビ表示を開始しました」、スピーカからの「予約によるテレビ表示を開始しました」との音声、警告音などでよい。
【０１１５】
Ｎ４＝３である場合、制御部１２２は、予約によるテレビ表示の開始時刻であることを通知部１２３に通知させ（Ｓ１４３２）、テレビ表示するかテレビ録画するかを通知部１２３に問い合わせを実行させ（Ｓ１４３３）、ユーザ操作によりテレビ録画が選択された場合はテレビ録画を開始し（Ｓ１４３４）、ユーザ操作によりテレビ表示が選択された場合はテレビ表示を開始するよう制御する（Ｓ１４３５）。
【０１１６】
なお、図１１の制御処理４において、開始時刻において、折り畳み状態でも視認可能なサブディスプレイにテレビ表示するようにしてもよい。
【０１１７】
図１２は、制御処理５の詳細を示すフローチャートである。同図のように、予約視聴の開始時刻に携帯端末装置が待機モードである場合、制御部１２２は、初期設定部１２１に記憶された設定値テーブルから第５の設定値を読み出して変数Ｎ５に代入し（Ｓ１５０１）、テレビ表示を開始させ（Ｓ１５０２）、Ｎ５＝１であればテレビ表示中であることを通知部１２３に通知させ（Ｓ１５０３）、Ｎ５＝２であればテレビ表示中であることを通知部１２３に通知させない。これにより、携帯端末装置は、開始時刻の一定時間前における予告に加えて、開始時刻に通知することができる。
【０１１８】
以上説明してきたように、本発明の実施の形態における携帯端末装置によれば、テレビ放送の予約視聴と他の動作モードとを並存させ、かつ簡便な操作性を実現することができる。
【０１１９】
なお、上記実施形態では、携帯端末装置の動作モードの例として、メール作成モード、再生モード、音声通話モード、テレビ電話モード、データ通信モード、折り畳みモード、待機モードの場合を具体的に説明したが、本発明はこれらに限らずに適用可能である。例えば、電話帳編集モード、アプリケーション実行モード、スケジュール編集モード、カレンダーモード、ボイスレコーダモード、音楽再生モード、カメラモード（動画撮影モード、静止画撮影モード）、リモコンモード、赤外線通信モード、ゲームモード、など種々の動作モードなどでもよい。これらの場合も、携帯端末装置は、上記実施形態と同様にして予約によるテレビ表示と動作モードとの制御することができる。
【０１２０】
また、上記実施形態において、テレビ録画を開始した後に、記録媒体１１５へ記録中の番組について、いわゆる追っかけ再生をするかどうかをユーザに問い合わせるようにしてもよい。この場合の追っかけ再生の制御フローを図１３に示す。同図において制御部１２２は、追っかけ再生するかどうかを通知部１２３に問い合わせるよう指示し（Ｓ１５０１）、その応答としてのユーザ操作が「追っかけ再生する」か否かを判定し（Ｓ１５０２）、「追っかけ再生する」と判定された場合追っかけ再生の実行を制御する（Ｓ１５０３）。同図の制御フローは、例えば、上記Ｓ９４２、Ｓ１１１４、Ｓ１２１４、Ｓ１３１４の直後に、あるいはこれらに代えて実行するようにしてもよい。また、Ｓ１４１２一定時間後、やＳ１４３４の一定時間後に実行するようにしてもよい。
【０１２１】
さらに、図６Ａにおける第１設定値「４」（図８におけるＮ１＝４）は、開始時刻において、作成中のメールのディスプレイ表示を続行し、テレビ表示の代わりにテレビ録画することとして説明したが、この代わりに、開始時刻において、メール作成モードを続行するとともにテレビ表示なしでテレビ音声を再生することとしてもよい。
【０１２２】
この場合、制御部１２２は、図８におけるステップＳ８４１〜Ｓ８４９の代わりに、図１４に示すステップＳ８４１ａ〜Ｓ８４４ａを実行すればよい。より詳しく説明すると、Ｎ１＝４である場合、制御部１２２は、メール処理部１０６におけるメール作成モードを続行させ（Ｓ８４１ａ）、テレビ表示をしないでテレビ音声のみ再生するようにＴＶ受信部１０１、ＴＶ処理部出力制御部１０８および音声再生部１１０を制御する（Ｓ８４２ａ）。ユーザはメール作成を続けることができる状態でテレビ音声のみが再生される。さらに、制御部１２２は、メール作成モードが終了したか否かを判定し（Ｓ８４３ａ）、メール作成モードが終了したと判定されたとき、既に再生中のテレビ音声に加えてテレビ表示を開
始するように出力制御部１０８および表示部１０９を制御する（Ｓ８４４ａ）。
【０１２３】
また、第１設定値「４」は、開始時刻において、作成中のメールのディスプレイ表示を続行し、テレビ表示の代わりにテレビ録画することとし、これに加えて、第１設定値「６」は、開始時刻において、メール作成モードを続行するとともにテレビ表示なしでテレビ音声を再生することとしてもよい。さらに、第１設定値「１〜４、６」の何れかをユーザ選択を受け付けるようにしてもよい。
【０１２４】
なお、上記実施形態では１セグメント方式のディジタル放送を例に説明したが、ＴＶ受信部１０１およびＴＶ処理部１０２はアナログ放送を受信および再生してもよい。
【０１２５】
また、図１に示したブロック図の各機能ブロックは典型的には集積回路装置であるＬＳＩとして実現される。このＬＳＩは１チップ化されても良いし、複数チップ化されても良い。（例えばメモリ以外の機能ブロックが１チップ化されていても良い。）ここでは、ＬＳＩとしたが、集積度の違いにより、ＩＣ、システムＬＳＩ、スーパーＬＳＩ、ウルトラＬＳＩと呼称されることもある。
【０１２６】
集積回路化の手法はＬＳＩに限るものではなく、専用回路又は汎用プロセサで実現してもよい。ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用しても良い。
【０１２７】
さらには、半導体技術の進歩又は派生する別技術によりＬＳＩに置き換わる集積回路化の技術が登場すれば、当然、その技術を用いて機能ブロックの集積化を行ってもよい。バイオ技術の適応等が可能性としてありえる。
【０１２８】
また、各機能ブロックのうち、データを格納するユニットだけ１チップ化せずに、本実施形態の記録媒体１１５のように別構成としても良い。
【０１２９】
なお、図１に示したブロック図の各機能ブロックおよび図７〜図１３に示したフローチャートにおいて、制御部１２２を含む中心的な部分はプロセッサおよびプログラムによって実現される。
【産業上の利用可能性】
【０１３０】
本発明は、テレビ付き携帯端末装置に適しており、例えば、テレビ付き携帯電話機、テレビ付きＰＤＡ（Personal digital assistant）、テレビ付き電子ブック装置、テレビ付きの電子辞書、テレビ付き携帯パソコン、テレビ付き携帯ＤＶＤ（Digital Versatile Disc）記録／再生装置などに適している。
【図面の簡単な説明】
【０１３１】
【図１】本発明の実施の形態における携帯端末の構成を示すブロック図である。
【図２】画面分割の説明図である。
【図３Ａ】２画面を有する携帯端末の一例を示す外観図である。
【図３Ｂ】２画面を有する携帯端末の一例を示す外観図である。
【図４Ａ】２画面を有する携帯端末の他の一例を示す外観図である。
【図４Ｂ】２画面を有する携帯端末の他の一例を示す外観図である。
【図５】設定値テーブルの一例を示す図である。
【図６Ａ】第１設定値の具体例を示す説明図である。
【図６Ｂ】第２設定値の具体例を示す説明図である。
【図６Ｃ】第３設定値の具体例を示す説明図である。
【図６Ｄ】第４設定値の具体例を示す説明図である。
【図６Ｅ】第５設定値の具体例を示す説明図である。
【図７】視聴予約についての制御処理を示すフローチャートである。
【図８】制御処理１の詳細を示すフローチャートである。
【図９】制御処理２の詳細を示すフローチャートである。
【図１０Ａ】制御処理３の詳細を示すフローチャートである。
【図１０Ｂ】音声通話モードにおける制御処理３の詳細を示すフローチャートである。
【図１０Ｃ】ＴＶ電話モードにおける制御処理３の詳細を示すフローチャートである。
【図１０Ｄ】データ通信モードにおける制御処理３の詳細を示すフローチャートである。
【図１１】制御処理４の詳細を示すフローチャートである。
【図１２】制御処理５の詳細を示すフローチャートである。
【図１３】追っかけ再生の問い合わせ制御を示すフローチャートである。
【図１４】図８の一部の処理の変形例を示すフローチャートである。
【符号の説明】
【０１３２】
１０１  ＴＶ受信部
１０２  ＴＶ処理部
１０３  補助情報処理部
１０４  無線部
１０５  送受信処理部
１０６  メール処理部
１０７  メール保存部
１０８  出力制御部
１０９  表示部
１１０  音声再生部
１１１  予約記憶部
１１２  時計部
１１３  電源管理部
１１４  操作部
１１５  記録媒体
１１６  記録制御部
１１７  再生制御部
１１８  カメラ
１１９  カメラ制御部
１２０  開閉検知部
１２１  初期設定部
１２２  制御部
１２３  通知部
【図１】
2006020287.tif 000003
【図２】
2006020287.tif 000004
【図３Ａ】
2006020287.tif 000005
【図３Ｂ】
2006020287.tif 000006
【図４Ａ】
2006020287.tif 000007
【図４Ｂ】
2006020287.tif 000008
【図５】
2006020287.tif 000009
【図６Ａ】
2006020287.tif 000010
【図６Ｂ】
2006020287.tif 000011
【図６Ｃ】
2006020287.tif 000012
【図６Ｄ】
2006020287.tif 000013
【図６Ｅ】
2006020287.tif 000014
【図７】
2006020287.tif 000015
【図８】
2006020287.tif 000016
【図９】
2006020287.tif 000017
【図１０Ａ】
2006020287.tif 000018
【図１０Ｂ】
2006020287.tif 000019
【図１０Ｃ】
2006020287.tif 000020
【図１０Ｄ】
2006020287.tif 000021
【図１１】
2006020287.tif 000022
【図１２】
2006020287.tif 000023
【図１３】
2006020287.tif 000024
【図１４】
2006020287.tif 000025